(57)【要約】  【課題】  力を入れなくても確実に握ることができるので、指が不自由な障害者や老人、或いは指が変形している人にも容易に且つ安全に自分の顔剃り等が行えると共に、手首や腕を動かすことで自在に動かすことができ、レザーカット等を行う場合に取り扱い易く、経験の浅い者にも容易に使用できる安全カミソリを提供することを目的とする。  【解決手段】  本発明の安全カミソリ１は、上面にカミソリ刃３が保持されたカミソリ刃保持部２と、カミソリ刃保持部２の下面の略中央部にＴ字状に固定された首部４と、カミソリ刃保持部２と略平行に首部４の下端部に固定された棒状の握り部５と、を備えた構成を有する。【選択図】  図１
2005118286.tif 000002
【特許請求の範囲】
【請求項１】
上面にカミソリ刃が保持されたカミソリ刃保持部と、前記カミソリ刃保持部の下面の略中央部にＴ字状に固定された首部と、前記カミソリ刃保持部と略平行に前記首部の下端部に固定された棒状の握り部と、を備えていることを特徴とする安全カミソリ。
【請求項２】
前記握り部が、前記首部に連設固定された骨部と、前記骨部の周囲に配設された柔軟部と、を備えていることを特徴とする請求項１に記載の安全カミソリ。
【請求項３】
上面にカミソリ刃が保持されたカミソリ刃保持部と、前記カミソリ刃保持部の下面の略中央部にＴ字状に固定された首部と、前記首部の下端部に固定された球状の握り部と、を備えていることを特徴とする安全カミソリ。
【請求項４】
上面にカミソリ刃が保持されたカミソリ刃保持部と、前記カミソリ刃保持部の下面の略中央部にＴ字状に固定された首部と、前記首部の下端部に固定された握り部と、を備え、前記握り部の使用者の掌に当接する部分に湾曲面状の掌当接部が形成されていることを特徴とする安全カミソリ。
【請求項５】
上面にカミソリ刃が保持されたカミソリ刃保持部と、前記カミソリ刃保持部の下面の略中央部にＴ字状に固定された首部と、前記首部の下端部に固定された握り部と、を備え、前記握り部が、胴体部と、頭部と、前記胴体部に固定された少なくとも１の腕部と、を有する動物等を象った人形或いはぬいぐるみにより形成され、前記腕部が前記首部の下端部に固定されていることを特徴とする安全カミソリ。
【請求項６】
前記握り部が、柔軟性を有する材料により形成されていることを特徴とする請求項１乃至５の内いずれか１項に記載の安全カミソリ。
【請求項７】
前記首部の長さが、２０ｍｍ〜４０ｍｍに形成されていることを特徴とする請求項１乃至６の内いずれか１項に記載の安全カミソリ。
【請求項８】
前記カミソリ刃保持部が前記首部に対して脱着自在に配設されていることを特徴とする請求項１乃至７の内いずれか１項に記載の安全カミソリ。
【発明の詳細な説明】
【技術分野】
【０００１】
本発明は、掌で握るだけで確実に保持でき手首の動作で容易に且つ安全に顔剃りや襟足の手入れ、レザーカット等を行うことができる安全カミソリに関するものである。
【背景技術】
【０００２】
従来、顔剃り等を行うための安全カミソリとして、握り手となる棒状の柄部の上端部に直交してカミソリ刃が保持されたＴ字状の安全カミソリが広く用いられている。
また、理髪店等においては顔剃りや襟足の手入れ等に使用される専用のカミソリが用いられており、このような専用のカミソリとしては、特許文献１に開示されたカットレザー等がある。なお、特許文献１に開示のカットレザーは、髪の先端部等を削ぐように切る、いわゆるレザーカットにも用いられている。
【０００３】
【特許文献１】特開２００１−３５３３８２号公報
【発明の開示】
【発明が解決しようとする課題】
【０００４】
しかしながら、上記従来のカミソリでは以下のような課題を有していた。
（１）従来のＴ字状の安全カミソリは、握り手となる柄部がカミソリ刃に対して直交して設けられた棒状であるので、指が不自由な障害者や老人、或いは指が変形している者には握り難かったり握っても力を入れることができなかったりして、自分自身の顔剃り等を行うことができないという課題を有していた。
（２）従来のＴ字状の安全カミソリや特許文献１に開示のカットレザーでは、握り手となる柄部が長いため、熟練者でなければ自在に使いこなすことができず、特に、寝たきりの身障者や老人等の起き上がることができない人に対して、その人の襟足を他者が剃る場合に、長尺の柄部が邪魔になって首の後部へ挿入し難いため、このような場合に使い勝手が悪く且つ安全性に欠けるという課題を有していた。
【０００５】
本発明は、上記従来の課題を解決するもので、力を入れなくても確実に握ることができるので、理髪だけでなく指が不自由な障害者や老人、或いは指が変形している人にも容易に且つ安全に自分の顔剃り等が行えると共に、手首や腕を動かすことでカミソリ刃を自在に動かすことができ、レザーカット等を行う場合に取り扱い易く、経験の浅い者にも容易に使用できる安全カミソリを提供することを目的とする。
【課題を解決するための手段】
【０００６】
上記課題を解決するために本発明の安全カミソリは、以下の構成を有している。
本発明の請求項１に記載の安全カミソリは、上面にカミソリ刃が保持されたカミソリ刃保持部と、前記カミソリ刃保持部の下面の略中央部にＴ字状に固定された首部と、前記カミソリ刃保持部と略平行に前記首部の下端部に固定された棒状の握り部と、を備えた構成を有している。
【０００７】
この構成により、以下のような作用を有する。
（１）ひとさし指となか指等の隣り合う２本の指で首部を挟み、握り部を掌で握ることにより、力を入れなくても確実に握ることができると共に、カミソリ刃保持部を安定して保持できる。
（２）握り部が棒状に形成され、カミソリ刃保持部と略平行に配設されているので、握り部の長手方向を掌に横方向に沿わして握ることで握り易く、多様な手の形や大きさにも対応することができる。
（３）力を入れなくても確実に握ることができるので、指が不自由な障害者や老人、或いは指が変形している人にも容易に且つ安全に自分の顔剃り等が行える。
（４）首部を２本の指で挟み、握り部を掌で握るので、使用者は手首や腕を動かすことで安全カミソリを自在に動かすことができ、レザーカット等を行う場合に取り扱い易く、経験の浅い者にも容易に使用できると共に、カミソリ特有の風合いを出し易く、種々の理容技術に用いることができ、新しい理容技術の開発にも繋がる。
【０００８】
ここで、棒状の握り部の形状としては、円柱状、四角柱等の多角柱状等が用いられ、握り易いように、両端部の角部を丸みを帯びた形状に形成することが好ましい。また、握り部の表面に握った際の掌や指の形状に対応した凹凸を設けることもできる。なお、握り部の長手方向の長さは使用者の掌の横方向の長さに合わせて、３０ｍｍ〜６０ｍｍ程度に形成される。また、握り部の太さとしては、１０ｍｍ〜４０ｍｍ程度に形成される。握り部の材質としては、合成樹脂、ゴム、ステンレス等の金属、木材等が用いられる。
また、握り部に係止紐部を取り付けることができる。これにより、係止紐部をフック等に係止して安全カミソリを保管できるので、保管場所をとらず保管性に優れる。
カミソリ刃保持部は首部に直交する方向に長尺の板状等に形成される。カミソリ刃保持部の上面には１乃至複数枚のカミソリ刃が長手方向に沿って保持され、その刃先はカミソリ刃保持部の上面に沿って設けられ、刃先が上面から殆ど突出しないようにすることが安全上好ましい。また、カミソリ刃保持部にカミソリ刃を覆う安全カバーを脱着自在に取り付けることもでき、保管時の安全性を向上できる。
【０００９】
本発明の請求項２に記載の安全カミソリは、請求項１に記載の発明において、前記握り部が、前記首部に連設固定された骨部と、前記骨部の周囲に配設された柔軟部と、を備えた構成を有している。
【００１０】
この構成により、請求項１の作用に加え、以下のような作用を有する。
（１）握り部が、骨部と、骨部の周囲に配設された柔軟部と、を有しているので、手で握った際に握り部の表面が掌や指に柔軟に接触して、掌や指にかかる負担を軽減できると共に、掌や指の形状に柔軟に対応して感触が良く握り易い。
【００１１】
ここで、柔軟部としてはスポンジや綿、布等が用いられ、所定の厚みを有するように骨部の周囲に配設される。
【００１２】
本発明の請求項３に記載の安全カミソリは、上面にカミソリ刃が保持されたカミソリ刃保持部と、前記カミソリ刃保持部の下面の略中央部にＴ字状に固定された首部と、前記首部の下端部に固定された球状の握り部と、を備えた構成を有している。
【００１３】
この構成により、以下のような作用を有する。
（１）ひとさし指となか指等の隣り合う２本の指で首部を挟み、握り部を掌で握ることにより、力を入れなくても確実に握ることができ、握り部が球状に形成されているので、球状の握り部の球面が掌や指に沿って接触し握り易い。
（２）力を入れなくても確実に握ることができるので、指が不自由な障害者や老人、或いは指が変形している人にも容易に且つ安全に自分の顔剃り等が行える。
【００１４】
ここで、球状の握り部の大きさとしては、直径で３０ｍｍ〜６０ｍｍ程度のものが用いられる。また、球状の握り部の材質としては、合成樹脂やゴム、ステンレス等の金属、木材等が用いられる。
【００１５】
本発明の請求項４に記載の安全カミソリは、上面にカミソリ刃が保持されたカミソリ刃保持部と、前記カミソリ刃保持部の下面の略中央部にＴ字状に固定された首部と、前記首部の下端部に固定された握り部と、を備え、前記握り部の使用者の掌に当接する部分に湾曲面状の掌当接部が形成された構成を有している。
【００１６】
この構成により、以下のような作用を有する。
（１）ひとさし指となか指等の隣り合う２本の指で首部を挟み、握り部を掌で握ることにより、力を入れなくても確実に握ることができ、握り部に湾曲面状の掌当接部が形成されているので、掌当接部が掌に沿って接触し握り易い。
（２）力を入れなくても確実に握ることができるので、指が不自由な障害者や老人、或いは指が変形している人にも容易に且つ安全に自分の顔剃り等が行える。
（３）握り部を軽量にすることができ、安全カミソリ全体を軽量化でき取り扱い易い。
【００１７】
本発明の請求項５に記載の安全カミソリは、上面にカミソリ刃が保持されたカミソリ刃保持部と、前記カミソリ刃保持部の下面の略中央部にＴ字状に固定された首部と、前記首部の下端部に固定された握り部と、を備え、前記握り部が、胴体部と、頭部と、前記胴体部に固定された少なくとも１の腕部と、を有する動物等を象った人形或いはぬいぐるみにより形成され、前記腕部が前記首部の下端部に固定された構成を有している。
【００１８】
この構成により、以下のような作用を有する。
（１）ひとさし指となか指等の隣り合う２本の指で首部及び握り部の腕部を挟み、握り部の胴体部を掌で握ることにより、力を入れなくても確実に握ることができる。
（２）力を入れなくても確実に握ることができるので、指が不自由な障害者や老人、或いは指が変形している人にも容易に且つ安全に自分の顔剃り等が行える。
（３）握り部が動物やキャラクター等を象った人形やぬいぐるみにより形成されているので、デザイン性や汎用性に優れる。
【００１９】
本発明の請求項６に記載の安全カミソリは、請求項１乃至５の内いずれか１項に記載の発明において、前記握り部が、柔軟性を有する材料により形成された構成を有している。
【００２０】
この構成により、請求項１乃至５の内いずれか１項の作用に加え、以下のような作用を有する。
（１）握り部が柔軟性を有するように形成されているので、手で握った際に握り部の表面が掌や指に柔軟に接触して、掌や指にかかる負担を軽減できると共に、掌や指の形状に柔軟に対応して感触が良く握り易い。
【００２１】
ここで、柔軟性を有する材料としては、ゴムやスポンジ等を用いてもよく、或いは握り部の内部にスポンジや綿、布等を詰めて形成してもよい。柔軟性を有する材料としてスポンジを用いる場合は、独立気泡を形成した不透水性のものを用いることが好ましい。或いは、ビニルシート等の不透水性のシートで覆うこともできる。これにより、内部に水を吸い込むことがないのでカビ等の発生を防ぎ衛生性に優れる。
【００２２】
本発明の請求項７に記載の安全カミソリは、請求項１乃至６の内いずれか１項に記載の発明において、前記首部の長さが、２０ｍｍ〜４０ｍｍに形成された構成を有している。
【００２３】
この構成により、請求項１乃至６の内いずれか１項の作用に加え、以下のような作用を有する。
（１）首部の長さが２０ｍｍ〜４０ｍｍに形成されているので、カミソリ刃保持部と握り部の間に容易に指を挿し込むことができ、種々の指の太さにも対応できると共に、安全カミソリをコンパクトに形成することができるので、仰向けになった人の襟足を剃る際に首の後部へ安全カミソリを挿入し易く、顔剃りやレザーカット等する場合にも使い勝手が良い。
【００２４】
ここで、首部の長さが２０ｍｍより小さくなるにつれ、カミソリ刃保持部と握り部の間隔が小さくなり、使用者の指をカミソリ刃保持部と握り部の間に挿し込み首部を挟むことができなくなるため好ましくない。首部の長さが４０ｍｍより大きくなるにつれ、安全カミソリの全長が長くなり、仰向けになった人の襟足を剃る際に首の後部へ安全カミソリを挿入し難くなったり、顔剃りやレザーカット等する場合に使い勝手が悪くなったりするため好ましくない。
【００２５】
本発明の請求項８に記載の安全カミソリは、請求項１乃至７の内いずれか１項に記載の発明において、前記カミソリ刃保持部が前記首部に対して脱着自在に配設された構成を有している。
【００２６】
この構成により、請求項１乃至７の内いずれか１項の作用に加え、以下のような作用を有する。
（１）カミソリ刃保持部が首部に脱着自在に配設されているので、カミソリ刃の切れ味が悪くなった場合にカミソリ刃保持部だけ交換して新しいカミソリ刃に交換することができる。
【００２７】
ここで、カミソリ刃保持部の脱着機構としては、カミソリ刃保持部の下面と首部の先端部の内、一方に嵌合凸部を設け他方に嵌合凹部を設けたもの、一方に爪部を設け他方に爪受け溝を設けたもの、掛止機構を設けたもの等が用いられる。
【発明の効果】
【００２８】
以上説明したように本発明の安全カミソリによれば、以下のような有利な効果が得られる。
請求項１に記載の発明によれば、
（１）ひとさし指となか指等の隣り合う２本の指で首部を挟み、握り部を掌で握ることにより、力を入れなくても確実に握ることができると共に、カミソリ刃保持部を安定して保持できる安全カミソリを提供することができる。
（２）握り部の長手方向を掌に横方向に沿わして握ることで握り易く、多様な手の形や大きさにも対応することができる安全カミソリを提供することができる。
（３）力を入れなくても確実に握ることができるので、指が不自由な障害者や老人、或いは指が変形している人にも容易に且つ安全に自分の顔剃り等が行える使用性及び安全性に優れた安全カミソリを提供することができる。
（４）首部を２本の指で挟み、握り部を掌で握るので、使用者は手首や腕を動かすことで安全カミソリを自在に動かすことができ、レザーカット等を行う場合に取り扱い易く、経験の浅い者にも容易に使用できる取り扱い性に優れた安全カミソリを提供することができる。
（５）カミソリ特有の風合いを出し易く、種々の理容技術に用いることができ、新しい理容技術の開発にも繋がる安全カミソリを提供することができる。
【００２９】
請求項２に記載の発明によれば、請求項１の効果に加え、
（１）手で握った際に握り部の表面が掌や指に柔軟に接触して、掌や指にかかる負担を軽減できると共に、掌や指の形状に柔軟に対応して感触が良く握り易い安全カミソリを提供することができる。
【００３０】
請求項３に記載の発明によれば、
（１）球状の握り部の球面が掌や指に沿って接触し握り易い安全カミソリを提供することができる。
（２）力を入れなくても確実に握ることができるので、指が不自由な障害者や老人、或いは指が変形している人にも容易に且つ安全に自分の顔剃り等が行える使用性及び安全性に優れた安全カミソリを提供することができる。
【００３１】
請求項４に記載の発明によれば、
（１）握り部に湾曲面状の掌当接部が形成されているので、掌当接部が掌に沿って接触し握り易い安全カミソリを提供することができる。
（２）力を入れなくても確実に握ることができるので、指が不自由な障害者や老人、或いは指が変形している人にも容易に且つ安全に自分の顔剃り等が行える使用性及び安全性に優れた安全カミソリを提供することができる。
（３）握り部を軽量にすることができ、安全カミソリ全体を軽量化でき取り扱い性に優れた安全カミソリを提供することができる。
【００３２】
請求項５に記載の発明によれば、
（１）ひとさし指となか指等の隣り合う２本の指で首部及び握り部の腕部を挟み、握り部の胴体部を掌で握ることにより、力を入れなくても確実に握ることができ、指が不自由な障害者や老人、或いは指が変形している人にも容易に且つ安全に自分の顔剃り等が行える使用性及び安全性に優れた安全カミソリを提供することができる。
（２）握り部が動物やキャラクター等を象った人形やぬいぐるみにより形成されデザイン性や汎用性に優れた安全カミソリを提供することができる。
【００３３】
請求項６に記載の発明によれば、請求項１乃至５の内いずれか１項の効果に加え、
（１）握り部が柔軟性を有するように形成されているので、手で握った際に握り部の表面が掌や指に柔軟に接触して、掌や指にかかる負担を軽減できると共に、掌や指の形状に柔軟に対応して感触が良く握り易い安全カミソリを提供することができる。
【００３４】
請求項７に記載の発明によれば、請求項１乃至６の内いずれか１項の効果に加え、
（１）カミソリ刃保持部と握り部の間に容易に指を挿し込むことができ、種々の指の太さにも対応できる安全カミソリを提供することができる。
（２）安全カミソリをコンパクトに形成することができるので、仰向けになった人の襟足を剃る際に首の後部へ安全カミソリを挿入し易く、顔剃りやレザーカット等する場合にも使い勝手が良い安全カミソリを提供することができる。
【００３５】
請求項８に記載の発明によれば、請求項１乃至７の内いずれか１項の効果に加え、
（１）カミソリ刃の切れ味が悪くなった場合にカミソリ刃保持部ごと交換して新しいカミソリ刃に交換することができる安全カミソリを提供することができる。
【発明を実施するための最良の形態】
【００３６】
以下、本発明の一実施の形態について、図１乃至図７を用いて説明する。
（実施の形態１）
図１は本実施の形態１における安全カミソリを示す要部斜視図であり、図２は本実施の形態１における安全カミソリを握った状態を示す要部斜視図であり、図３（ａ）は本実施の形態１における安全カミソリの波形かぶせ部を備えた例を示す要部斜視図であり、図３（ｂ）は本実施の形態１における安全カミソリの脱着機構を備えた例を示す要部断面図である。
図中、１は本実施の形態１における安全カミソリ、２は略長方体形の平板状に形成されたカミソリ刃保持部、３はカミソリ刃保持部２の上面に保持された１枚若しくは２枚からなるカミソリ刃、４はカミソリ刃保持部２の下面の略中央部にＴ字状に固定された首部、５はカミソリ刃保持部２と略平行に首部４の下端部に固定された棒状の握り部であり、握り易いように両端部が丸みを帯びた円柱状に形成されている。図２において、Ｘは使用者の手、Ｙはひとさし指、Ｚはなか指である。また、図３において、６はカミソリ刃３の上面に沿って配設された波形かぶせ部、７は首部４の上端部に形成された嵌合凹部、８はカミソリ刃保持部２の下面の略中央部に形成された嵌合凸部である。
【００３７】
以上のように構成された本実施の形態１における安全カミソリ１について、以下その使用方法を図２を用いて説明する。
図２に示すように、安全カミソリ１を使用する際は、まず、ひとさし指Ｙとなか指Ｚの第２関節の部分で首部４を挟み、握り部５を掌で握る。この状態でカミソリ刃保持部２の上面を顔や襟足等の剃る部分の肌に当て、手首や腕を動かして剃る。なお、手首を動かすだけで、安全カミソリ１を用いて髪の先端部を削ぐように切る、いわゆるレザーカットを行うこともできる。
ここで、首部４の長さは２０ｍｍ〜４０ｍｍに形成されている。首部４の長さが２０ｍｍより小さくなるにつれ、カミソリ刃保持部２と握り部５の間隔が小さくなり、使用者の指をカミソリ刃保持部２と握り部５の間に挿し込み首部４を挟むことができ難くなるため好ましくない。首部４の長さが４０ｍｍより大きくなるにつれ、安全カミソリ１の全長が長くなり、仰向けになった人の襟足を剃る際に首の後部へ安全カミソリ１を挿入し難くなったり、顔剃りやレザーカット等する場合に使い勝手が悪くなったりするため好ましくない。
また、握り部５の長手方向の長さは使用者の手Ｘの掌の横方向の長さに合わせて、３０ｍｍ〜６０ｍｍ程度に形成され、握り部５の太さは１０ｍｍ〜４０ｍｍ程度に形成され、握り部５は掌中に納まるか掌と丸めた指で握ることができる大きさに形成されている。
【００３８】
また、図３（ａ）に示すように、カミソリ刃３の上面に沿って波形かぶせ部６を配設し、カミソリ刃３と共にカミソリ刃保持部２に保持させてもよい。これにより、肌を傷つけ難く安全性に優れる。
また、図３（ｂ）に示すように、嵌合凸部８を嵌合凹部７に脱着自在に嵌合固定することでカミソリ刃保持部２を首部４に脱着自在に設けることもできる。これにより、カミソリ刃３の切れ味が悪くなった場合にカミソリ刃保持部２ごと交換して新しいカミソリ刃３に交換することができる。なお、カミソリ刃保持部２と首部４、握り部５を一体に形成してもよい。
【００３９】
なお、本実施の形態１においては、首部４をひとさし指Ｙとなか指Ｚで挟んで使用しているが、これに限られるものではなく、例えばなか指とくすり指で挟んで使用することもできる。
【００４０】
以上のように本実施の形態１における安全カミソリ１は構成されているので、以下のような作用を有する。
（１）ひとさし指Ｙとなか指Ｚの第２関節の部分で首部４を挟み、握り部５を掌で握ることにより、指で挟むだけで力を入れなくても安全カミソリ１を確実に握ることができる。
（２）握り部５が棒状に形成され、カミソリ刃保持部２と略平行に配設されているので、握り部５の長手方向を掌に横方向に沿わして握ることで握り易く、多様な手の形や大きさにも対応することができる。
（３）力を入れなくても確実に握ることができるので、指が不自由な障害者や老人、或いは指が変形している人にも容易に且つ安全に自分の顔剃り等が行える。
（４）首部４をひとさし指Ｙとなか指Ｚで挟み、握り部５を掌で握るので、使用者は手首や腕を動かすことで安全カミソリ１を自在に動かすことができ、レザーカット等を行う場合に取り扱い易く、経験の浅い者にも容易に使用できると共に、カミソリ特有の風合いを出し易く、種々の理容技術に用いることができ、新しい理容技術の開発にも繋がる。
（５）首部４の長さが２０ｍｍ〜４０ｍｍに形成されているので、カミソリ刃保持部２と握り部５の間に容易に指を挿し込むことができ、種々の指の太さにも対応できると共に、安全カミソリ１をコンパクトに形成することができるので、仰向けになった人の襟足を剃る際に首の後部へ安全カミソリ１を挿入し易く、顔剃りやレザーカット等する場合にも使い勝手が良い。
（６）嵌合凸部８を嵌合凹部７に脱着自在に形成した場合、嵌合することでカミソリ刃保持部２を首部４に脱着自在に設けているので、カミソリ刃保持部２ごと交換して新しいカミソリ刃３に交換することができる。
【００４１】
（実施の形態２）
図４は本実施の形態２における安全カミソリを示す要部斜視図である。
図４において、２はカミソリ刃保持部、３はカミソリ刃、４は首部であり、これらは実施の形態１において説明したものと同様のものであるので同一の符号を付けて説明を省略する。１ａは本実施の形態２における安全カミソリ、５ａは首部４の下端部に固定された握り部、１１は首部４の下端部にＴ字状に連設固定された棒状の骨部、１２は骨部１１を覆うようにその周囲に所定の厚み（掌中に納まるか掌と丸めた指で握ることができる程度）で配設された柔軟部、１３は柔軟部１２を覆うように配設されたカバー部である。
ここで、握り部５ａは角部を丸くした四角柱状に形成されている。握り部５ａの形状としては、円柱状や多角柱状に形成することもできる。柔軟部１２としてはスポンジや綿、布等が用いられる。カバー部１３としては皮、布、ビニルシート等が用いられる。
【００４２】
以上のように構成された本実施の形態２における安全カミソリ１ａが実施の形態１と異なる点は、握り部５ａが骨部１１、柔軟部１２、及びカバー部１３を備えている点である。この構成の相異により、本実施の形態２における安全カミソリ１ａは、実施の形態１の作用に加え、以下のような作用を有する。
（１）握り部５ａが、棒状の骨部１１と、骨部１１を覆うようにその周囲に所定の厚みで配設された柔軟部１２と、を有しているので、手で握った際に握り部５ａの表面が掌や指に柔軟に接触して、掌や指にかかる負担を軽減できると共に、掌や指の形状に柔軟に対応して感触が良く握り易い。
（２）柔軟部１２がカバー部１３で覆われているので、繰り返して使用しても汚れがつき難く、内部に水を吸い込むことがないのでカビ等の発生を防ぎ衛生性に優れる。また、汚れを布等の拭くだけで落とせるので清潔に使用できる。
【００４３】
（実施の形態３）
図５は本実施の形態３における安全カミソリを示す要部斜視図である。
図５において、２はカミソリ刃保持部、３はカミソリ刃、４は首部であり、これらは実施の形態１において説明したものと同様のものであるので同一の符号を付けて説明を省略する。１ｂは本実施の形態３における安全カミソリ、５ｂは首部４の下端部に固定された球状の握り部である。
ここで、握り部５ｂの形状は、掌に当たる部分が球面であれば半球状等に形成することもできる。
【００４４】
以上のように構成された本実施の形態３における安全カミソリ１ｂが実施の形態１と異なる点は、握り部５ｂが球状に形成されている点である。この構成の相異により、本実施の形態３における安全カミソリ１ｂは、実施の形態１の作用に加え、以下のような作用を有する。
（１）握り部５ｂが球状に形成されているので、球状の握り部５ｂの球面が掌や指に沿って接触し握り易い。
【００４５】
（実施の形態４）
図６は本実施の形態４における安全カミソリを示す要部斜視図である。
図６において、２はカミソリ刃保持部、３はカミソリ刃、４は首部であり、これらは実施の形態１において説明したものと同様のものであるので同一の符号を付けて説明を省略する。１ｃは本実施の形態４における安全カミソリ、５ｃは下側が屈曲状で１２０°〜１７０°に折れ曲がって形成された首部４の下端部に固定された握り部、１５は掌が当接する部分に形成された所定の厚みの湾曲面状の掌当接部である。
【００４６】
以上のように構成された本実施の形態４における安全カミソリ１ｃが実施の形態１と異なる点は、握り部５ｃが所定の厚みの湾曲面状に形成され、その掌に当接する部分に湾曲面状の掌当接部１５が形成されている点である。この構成の相異により、本実施の形態４における安全カミソリ１は、実施の形態１の作用に加え、以下のような作用を有する。
（１）握り部５ｃが湾曲面状に形成されているので、握り部５ｃの掌当接部１５が掌に沿って接触し握り易い。
（２）握り部５ｃが所定の厚みの湾曲面状に形成されているので、軽量にすることができ取り扱い易い。
（３）首部４の下側が１２０°〜１７０°に折れ曲がって形成されているので、指に挟んだときにカミソリ刃３を指に対してある所定の角度をもって傾斜して配置させることができ、カミソリ刃３の刃先が所定の角度で立ち上がるので通常剃り難い部分も剃り易くなり使い易い。
【００４７】
（実施の形態５）
図７は本実施の形態５における安全カミソリを示す要部斜視図である。
図７において、２はカミソリ刃保持部、３はカミソリ刃、４は首部であり、これらは実施の形態１において説明したものと同様のものであるので同一の符号を付けて説明を省略する。１ｄは本実施の形態５における安全カミソリ、５ｄは首部４の下端部に固定された握り部、２１は握り部５ｄを形成する熊を象った人形の胴体部、２２は頭部、２３，２３ａは胴体部２１に固定された腕部、２４は胴体部２１に止着された環状の係止紐部である。
ここで、握り部５ｄは熊を象った人形により形成され、その腕部２３が首部４の下端部に固定されている。握り部５ｄは、その内部にスポンジや綿、布等が詰められ、柔軟性を有するように形成されている。なお、握り部５ｄの人形は熊に限らず種々のものを用いることができる。
【００４８】
以上のように構成された本実施の形態５における安全カミソリ１ｄが実施の形態１と異なる点は、握り部５ｄが熊を象った人形により形成されている点である。この構成の相異により、本実施の形態５における安全カミソリ１ｄは、実施の形態１の作用に加え、以下のような作用を有する。
（１）ひとさし指となか指で首部４及び腕部２３を挟み、握り部５ｄの胴体部２１を掌で握ることにより、力を入れなくても安全カミソリ１ｄを確実に握ることができる。
（２）握り部５ｄが熊等を象った人形等により形成されているので、デザイン性に優れ、顧客の好みに応じて種々の形状に対応できる。
（３）握り部５ｄの胴体部２１が柔軟性を有するように形成されているので、手で握った際に胴体部２１の表面が掌や指に柔軟に接触して、掌や指にかかる負担を軽減できると共に、掌や指の形状に柔軟に対応して感触が良く握り易い。
（４）係止紐部２４をフック等に係止して安全カミソリ１ｄを保管できるので、保管場所をとらず保管性に優れる。
【産業上の利用可能性】
【００４９】
以上説明したように、本発明は、容易に且つ安全に顔剃りや襟足の手入れ、レザーカット等を行うことができる安全カミソリに関し、特に本発明によれば、力を入れなくても確実に握ることができるので、指が不自由な障害者や老人、或いは指が変形している人にも容易に且つ安全に自分の顔剃り等が行えると共に、手首や腕を動かすことで自在に動かすことができ、レザーカット等を行う場合に取り扱い易く、経験の浅い者にも容易に使用できる安全カミソリを提供することができる。
【図面の簡単な説明】
【００５０】
【図１】実施の形態１における安全カミソリを示す要部斜視図
【図２】実施の形態１における安全カミソリを握った状態を示す要部斜視図
【図３】（ａ）実施の形態１における安全カミソリの波形かぶせ部を備えた例を示す要部斜視図（ｂ）実施の形態１における安全カミソリの脱着機構を備えた例を示す要部断面図
【図４】実施の形態２における安全カミソリを示す要部斜視図
【図５】実施の形態３における安全カミソリを示す要部斜視図
【図６】実施の形態４における安全カミソリを示す要部斜視図
【図７】実施の形態５における安全カミソリを示す要部斜視図
【符号の説明】
【００５１】
１，１ａ，１ｂ，１ｃ，１ｄ  安全カミソリ
２  カミソリ刃保持部
３  カミソリ刃
４  首部
５，５ａ，５ｂ，５ｃ，５ｄ  握り部
６  波形かぶせ部
７  嵌合凹部
８  嵌合凸部
１１  骨部
１２  柔軟部
１３  カバー部
１５  掌当接部
２１  胴体部
２２  頭部
２３，２３ａ  腕部
２４  係止紐部
【図１】
2005118286.tif 000003
【図２】
2005118286.tif 000004
【図３】
2005118286.tif 000005
【図４】
2005118286.tif 000006
【図５】
2005118286.tif 000007
【図６】
2005118286.tif 000008
【図７】
2005118286.tif 000009